(57)【特許請求の範囲】
【請求項１】
ガス供給対象に対して単位ガス量を供給するごとにパルス信号を出力するガス量計測部、端末側無線式通信部、および、前記パルス信号に基づいて求めたガス供給量情報を、前記出力ごとに通信する端末側制御部を備え、かつ、電池を電源として作動する端末側管理部と、
前記端末側無線式通信部との間で通信する本体側無線式通信部、および、前記端末側制御部からの前記ガス供給量情報に基づいて、前記ガス供給対象のガス消費状態を管理する本体側制御部を備える本体側管理部と、が設けられているガス消費管理システムであって、
前記端末側制御部は、前記ガス供給量情報として、前記ガス量計測部から出力されたパルス信号の累積回数を示す累積番号情報及び前記端末側制御部が前記パルス信号を受け付けた時刻を示す供給時刻情報を生成し、通信するように構成されている、ガス消費管理システム。
【請求項２】
前記本体側制御部は、前記端末側管理部から前記ガス供給量情報が通信されてきた場合に、前記ガス供給量情報を経時情報として記憶部に記憶するように構成されている請求項１に記載のガス消費管理システム。
【請求項３】
前記本体側制御部は、前記累積番号情報と、直前に記憶した前記経時情報に含まれる累積番号情報とを対比して、前記ガス消費状態を算出する、請求項２に記載のガス消費管理システム。
【請求項４】
前記本体側制御部は、前記累積番号情報と、直前に記憶した前記経時情報に含まれる累積番号情報とが不連続の場合は、直前の通信との間の通信が欠落したと判断し、当該通信で欠落したガス供給量情報を補完する補完処理を行い、前記ガス消費状態を算出する、請求項３に記載のガス消費管理システム。
【請求項５】
前記補完処理では、前記通信で欠落した累積番号情報に対応するガス消費状態の補完はせず、当該通信で欠落した直後に受信された累積番号情報に対応するガス消費状態を当該累積番号情報に基づいて補完する請求項４に記載のガス消費管理システム。
【請求項６】
前記本体側制御部は、前記補完処理を行う場合に、前記供給時刻情報と前記経時情報に含まれる供給時刻情報とを対比する、請求項５に記載のガス消費管理システム。
【請求項７】
前記本体側制御部は、前記ガス消費状態を経時的に記憶して、当該記憶したガス消費状態を基にして、ガス消費予測を行う、請求項３〜５のいずれか一項に記載のガス消費管理システム。 
【発明の詳細な説明】
【技術分野】
【０００１】
本発明は、ガス供給対象に対して単位ガス量を供給するごとにパルス信号を出力するガス量計測部、端末側無線式通信部、および、パルス信号に基づいて求めたガス供給量情報を、出力ごとに通信する端末側制御部を備え、かつ、電池を電源として作動する端末側管理部と、端末側無線式通信部との間で通信する本体側無線式通信部、および、端末側制御部からのガス供給量情報に基づいて、ガス供給対象のガス消費状態を管理する本体側制御部を備える本体側管理部と、が設けられている、ガス消費管理システムに関する。
【背景技術】
【０００２】
近年、ガス供給対象であるガス消費者が、ガス使用量を監視したいという需要が生じている。ガス使用料金は、定額部分と従量部分からなり、ガス使用量が契約範囲を超えると、定額部分が高くなるように設定されている。そのため、多くのガス消費者は、省エネや経費削減のために、現在のガスの使用状況や、１時間単位のガス使用量を監視して、契約範囲を超えないようにガスの使用量を抑えるなどの対応を行っている。
【０００３】
特許文献１には、商用電源（ＡＣ１００Ｖ）で駆動する監視装置であって、ガス供給対象のガスメータに接続された負荷計から発せられるパルス信号の発生を、都度カウントしてガス使用量を監視できるようにしたものが知られている。
【０００４】
また、付近に商用電源のないガスメータにおけるガス消費量などのガス消費状態を監視できるようにするために、電池式とした監視装置が知られている。通常、電池式の装置では、電力消費を抑えるために、ガスメータの負荷計からパルス信号が発せられた場合に、カウントするように構成される。
【先行技術文献】
【特許文献】
【０００５】
【特許文献１】実用新案登録第３１５０２４１号
【発明の概要】
【発明が解決しようとする課題】
【０００６】
特許文献１に開示の監視装置は、商用電源を用いるため、設置の自由度が低いという問題がある。
また、このような電池式の監視装置は、パルス信号の発生を間欠的に監視することとなり、信号線や通信のエラーによってパルス信号の発生の監視に失敗した場合に、ガス供給対象のガス消費状態を正確に把握することが難しい。
【０００７】
そこで、本発明の目的は、電池式の監視装置の電力消費を抑えつつ、パルス信号の発生の監視に失敗した場合にも、ガス供給対象のガス消費状態を正確に把握できるガス消費管理システムを実現することにある。
【課題を解決するための手段】
【０００８】
上記目的を達成するため、本発明に係るガス消費管理システムの特徴構成は、
ガス供給対象に対して単位ガス量を供給するごとにパルス信号を出力するガス量計測部、端末側無線式通信部、および、前記パルス信号に基づいて求めたガス供給量情報を、前記出力ごとに通信する端末側制御部を備え、かつ、電池を電源として作動する端末側管理部と、
前記端末側無線式通信部との間で通信する本体側無線式通信部、および、前記端末側制御部からの前記ガス供給量情報に基づいて、前記ガス供給対象のガス消費状態を管理する本体側制御部を備える本体側管理部と、が設けられているガス消費管理システムであって、
前記端末側制御部は、前記ガス供給量情報として、前記ガス量計測部から出力されたパルス信号の累積回数を示す累積番号情報及び前記端末側制御部が前記パルス信号を受け付けた時刻を示す供給時刻情報を生成し、通信するように構成されている点にある。 
【０００９】
上記特徴構成によれば、ガス消費管理システムは、ガス量計測部から出力されるパルス信号に基づいて、ガス供給量情報を求める電池式の端末側制御部と、パルス信号が出力されるごとに当該端末側制御部から無線式通信部を介してガス供給量情報を受信する本体側制御部とから構成される。
ここで、端末側制御部は、ガス供給量情報として、ガス量計測部から出力されたパルス信号の累積回数を示す累積番号情報を生成し、本体側制御部は、当該累積番号情報を受信する。
したがって、本体側制御部がガス供給量情報を受信した場合には、本体側制御部において、パルス信号が出力された累積回数、言い換えれば、単位ガス量が供給された回数を常に正確に把握することが可能となる。たとえば直前の通信に欠落が生じ、本体側制御部がパルス信号の発生の監視に失敗した場合にも、その後の通信が正常に行われ、ガス供給量情報を受信した場合には、本体側制御部において、パルス信号が出力された累積回数、言い換えれば、単位ガス量が供給された回数、すなわちガス消費量を、当該通信が行われた時点で常に正確に把握することが可能となる。
そして、パルス信号が出力されるごとに本体側制御部がガス供給量情報を受信するため、本体側制御部がガス供給量情報を受信した時刻と、パルス信号が出力された時刻とがおよそ等しくなる。
したがって、本体側制御部は、単位ガス量が供給された時刻におけるガス供給対象のガス消費状態として、ガス消費量を把握することが可能となる。
【００１０】
以上のように、ガス消費管理システムを、端末側制御部が、ガス供給量情報として、ガス量計測部から出力されたパルス信号の累積回数を示す累積番号情報を生成し、通信することで、電池式の監視装置の電力消費を抑えつつ、通信に欠落してパルス信号の発生の監視に失敗した場合にも、ガス供給対象のガス消費状態を正確に把握できるガス消費管理システムを実現することができる。
また、本体側制御部は、単位ガス量が供給された時刻におけるガス供給対象のガス消費状態として、ガス消費量を正確に把握することが可能となる。
【００１１】
本発明に係るガス消費管理システムのさらなる特徴構成は、
前記本体側制御部は、前記端末側管理部から前記ガス供給量情報が通信されてきた場合に、前記ガス供給量情報を経時情報として記憶部に記憶するように構成されている点にある。
【００１２】
上記特徴構成によれば、受信したガス供給量情報を経時情報として記憶してすることができる。また、このようにガス供給量情報を記憶しておくことで、ガス消費状態の時系列変化を把握することができる。
【００１３】
本発明に係るガス消費管理システムのさらなる特徴構成は、
前記本体側制御部は、前記累積番号情報と、直前に記憶した前記経時情報に含まれる累積番号情報とを対比して、前記ガス消費状態を算出する点にある。
【００１４】
上記特徴構成によれば、本体側制御部は、前記累積番号情報と、直前に記憶した前記経時情報に含まれる累積番号情報とを対比して、直前のガス供給量情報の受信から、今回のガス供給量情報の受信の間のガス消費状態の変化を知ることができる。ガス消費状態の変化としては、例えばガス消費速度や、直前のガス供給量情報の受信から今回のガス供給量情報の受信の間の時間のガス消費量などが含まれる。
したがって、ガス供給対象のガス消費速度などのガス消費状態を正確に把握できるガス消費管理システムを実現することができる。
【００１５】
本発明に係るガス消費管理システムのさらなる特徴構成は、
前記本体側制御部は、前記累積番号情報と、直前に記憶した前記経時情報に含まれる累積番号情報とが不連続の場合は、直前の通信との間の通信が欠落したと判断し、当該通信で欠落したガス供給量情報を補完する補完処理を行い、前記ガス消費状態を算出する点にある。
【００１６】
上記特徴構成によれば、本体側制御部は、今回の通信と直前の通信との間の通信の欠落、すなわちパルス信号の発生の監視に失敗したことを把握できる。また、通信の欠落を把握できるため、経時情報と、今回受信したガス供給量情報とを用いて通信で欠落したガス供給量情報を補完する補完処理を行える。
したがって、パルス信号の発生の監視に失敗した場合にも、ガス供給対象のガス消費状態を正確に把握できるガス消費管理システムを実現することにある。
【００１７】
本発明に係るガス消費管理システムのさらなる特徴構成は、
前記補完処理では、前記通信で欠落した累積番号情報に対応するガス消費状態の補完はせず、当該通信で欠落した直後に受信された累積番号情報に対応するガス消費状態を当該累積番号情報に基づいて補完する点にある。 
【００１９】
本発明に係るガス消費管理システムのさらなる特徴構成は、
前記本体側制御部は、前記補完処理を行う場合に、前記供給時刻情報と前記経時情報に含まれる供給時刻情報を対比する点にある。
【００２０】
上記特徴構成によれば、本体側制御部は、前記補完処理を行う場合に、直前までに行われた通信と、今回の通信とに含まれる供給時刻情報を対比して、これらの供給時刻情報を含めて補完処理を行える。例えば、直前の通信の供給時刻情報と、今回の通信との供給時刻情報と、の差を求めて、経過時間を考慮して補完処理を行える。
したがって、パルス信号の発生の監視に失敗した場合にも、ガス供給対象のガス消費状態を正確に把握できるガス消費管理システムを実現することができる。
【００２１】
本発明に係るガス消費管理システムのさらなる特徴構成は、
本体側制御部は、前記ガス消費状態を経時的に記憶して、当該記憶したガス消費状態を基にして、ガス消費予測を行う点にある。
【００２２】
上記特徴構成によれば、本体側制御部は、経時的に記憶したガス消費状態を基にして、ガス消費予測を行うことができる。例えば、経時的に記憶したガス消費状態が今後も継続するものと仮定して、ガス消費予測を行うことができる。
【図面の簡単な説明】
【００２３】
【図１】ガス消費管理システムの概要図
【図２】従来のガス消費管理システムがガス消費量を算出する場合の問題点を説明する図
【図３】ガス消費量の算出方法の一例を説明する図
【図４】ガス消費量の算出方法の別の一例を説明する図
【発明を実施するための形態】
【００２４】
以下では本発明に係るガス消費管理システム１００を、図１を用いて説明する。
【００２５】
ガス消費管理システム１００は、ガス供給対象Ａのガス消費状態（ガス消費量、ガス消費速度、時系列変化や、ガス消費予測）を管理する。ガス消費管理システム１００は、大きく分けて、ガスメータに取り付けられるガス量計測部１を備える端末側管理部２と、端末側管理部２と通信を行い端末側管理部２から受信した情報に基づいてガス消費状態を管理する本体側管理部３と、を備える。
【００２６】
ガス量計測部１が取り付けられるガスメータは、ガス供給対象Ａに引き込まれるガス流路１０上に設けられ、ガス量計測部１は、ガス供給対象Ａにおけるガス消費量を計測可能に構成される。
【００２７】
端末側管理部２は、ガス供給対象Ａの近傍に設置され、ガス供給対象Ａのガス消費状態を取得し、本体側管理部３との間で、無線通信によりガス消費状態に係る情報を通信する装置である。
端末側管理部２は、ガス量計測部１、端末側制御部２０、端末側無線式通信部２１、および電池２２、計時部２３から構成される。したがって、端末側管理部２は、電池２２の消耗を抑制する省電力な構成を要する。
【００２８】
本例では、端末側管理部２と、本体側管理部３とが通信を行う場合に通信環境が悪いと、所定回数の通信の成立を試みる。しかし、所定回数の通信の成立を試みて通信が成功しない場合は、通信を終了し、通信を試みたガス消費状態に係る情報は破棄するよう設定されている。所定回数以上の通信の成立を試みて電池２２が過剰に消耗することを避けるためである。破棄されたガス消費状態に係る情報、端末側管理部２と、本体側管理部３とのいずれかにおいて通信による欠落として処理されて、必要に応じて補完される。
【００２９】
ガス量計測部１は、ガス供給対象Ａに対して単位ガス量を供給するごとに、リアルタイムにガス供給信号をパルス信号Ｐとして出力する。より具体的には、ガス量計測部１は、ガス供給対象Ａにおけるガス消費機器に対して、単位ガス量として１立方メートルのガスが供給されると同時に、パルス信号が端末側制御部２０に対して出力される。
なお、本例において同時、とは、機械装置や各種の演算装置の演算処理時間、電気通信回線などの信号線の処理時間・待ち時間・演算時間や通信時間などの遅延を含み、意図的に遅延させないことを意味する。
【００３０】
端末側制御部２０は、端末側管理部２の各部を制御し、本体側管理部３との通信を行う演算処理を行う機能部である。
具体的には、端末側制御部２０は、ガス量計測部１からのパルス信号Ｐの出力を受け取るとともに、パルス信号Ｐに基づいてガス供給量情報Ｓを生成する演算を行う。そして、端末側制御部２０は、端末側無線式通信部２１を制御して本体側管理部３へとガス供給量情報Ｓを送信する。
つまり、端末側制御部２０は、パルス信号Ｐの出力を受け取ると同時にガス供給量情報Ｓを本体側管理部３へ送信する。
【００３１】
端末側制御部２０は、ガス供給量情報Ｓとして、ガス量計測部１において出力されたパルス信号Ｐの累積回数を示す累積番号情報Ｎを生成し、通信（送信）する。
すなわち、端末側管理部２は、出力されたパルス信号Ｐの累積回数を数える計数部２４を備え、端末側制御部２０は、ガス量計測部１からパルス信号Ｐの出力を受け取った場合に、計数部２４から現在までの累積回数を取得し、取得した累積回数をガス供給量情報Ｓである累積番号情報Ｎとして生成する。つまり、累積番号情報Ｎは、ガス量計測部１において出力されたパルス信号Ｐの累積回数を、１以上の整数の情報として含む。また、この出力されたパルス信号Ｐの累積回数は、端末側制御部の動作を開始した時点からの累積回数とすることができる。
以下、ｎ回目（ｎは１以上の整数）の累積番号情報ＮをＮｎと示す。また、例えば累積回数がｎ−１回目、ｎ＋１回目の場合の累積番号情報Ｎはそれぞれ、累積番号情報Ｎｎ−１、累積番号情報Ｎｎ＋１などと表記し、以下、その他の例も同様とする。
【００３２】
端末側制御部２０は、ガス供給量情報Ｓとして、ガス量計測部１においてパルス信号Ｐが出力された時刻ｔを示す供給時刻情報Ｔを生成し、通信（送信）する。
すなわち、端末側管理部２は、現在時刻を管理するための計時部２３を備え、端末側制御部２０は、ガス量計測部１からパルス信号Ｐの出力を受け取った場合に、計時部２３から現在時刻を取得し、取得した現在時刻をガス供給量情報Ｓである供給時刻情報Ｔとして生成する。
以下、累積番号情報Ｎを含むガス供給量情報Ｓに対応する時刻tおよび供給時刻情報Ｔをそれぞれ時刻ｔｎ、供給時刻情報Ｔｎと示す。
【００３３】
ガス供給量情報Ｓと、供給時刻情報Ｔと、累積番号情報Ｎと、について補足する。
本例では、ガス供給量情報Ｓに、供給時刻情報Ｔと、累積番号情報Ｎと、必要に応じてその他の情報とが含まれる。
【００３４】
端末側無線式通信部２１としては、公知の無線通信チップが用いられる。
端末側管理部２は、電池２２を電源として作動するため、消費電力の少ない無線通信方式を採用することが望ましい。具体的には、例えばＩＥＥＥ８０２．１１系統の「無線ＬＡＮ」、ＩＥＥＥ８０２．１は「無線ＰＡＮ」、ＩＥＥＥ８０２．１６系統の「無線ＷＬＡＮ」などを用いることができるが、このうち、ＩＥＥＥ８０２．１５．４ｇの準拠した通信規格・通信方式を用いると特に良い。周波数帯はＩＥＥＥ８０２．１５．４ｇの場合、９２０ＭＨｚ帯を用い、変調方式はＧＦＳＫなどを利用することができる。
【００３５】
本体側管理部３は、端末側管理部２と、無線通信によりガス消費状態に係る情報を通信し、通信によって取得したガス消費状態に係る情報を演算して、ガス供給対象Ａのガス消費状態を管理する装置である。ガス消費状態に係る情報には、ガス供給量情報Ｓが含まれる。
本体側管理部３は、本体側制御部３０、および端末側無線式通信部２１との間で通信する本体側無線式通信部３１と、通信して受信したガス供給量情報Ｓを記憶する記憶部３２とを備える。
【００３６】
記憶部３２は、通信して受信したガス供給量情報Ｓを記憶する機能部である。
記憶部３２は、受信したガス供給量情報Ｓを、経時情報Ｄとして記憶することができる。本例では、経時情報Ｄは、累積番号情報Ｎに含まれる累積回数で識別されて経時情報Ｄｎ（ｎは１以上の整数）として順次記憶部に記憶される。つまり、累積番号情報Ｎに対応する経時情報Ｄが経時情報Ｄｎである。
以下の記載においては、経時情報Ｄとの記載には、経時情報Ｄｎが含まれる。
【００３７】
記憶部３２は、このように順次経時情報Ｄを記憶部に記憶するのであるが、記憶部３２の記憶容量が不足する場合は、最も過去に記憶したガス供給量情報Ｓを破棄しつつ、新たに受信したガス供給量情報Ｓを記憶する。
したがって、記憶部３２は、累積番号情報Ｎを含むガス供給量情報Ｓを受信した時点において、少なくとも直前に受信したガス供給量情報Ｓを記憶している。
【００３８】
記憶部３２と、記憶部３２に記憶される、直前に受信したガス供給量情報Ｓについて補足する。
通信が正常に行われていた場合は、累積番号情報Ｎｎを含むガス供給量情報Ｓを受信した時点で、記憶部３２は、少なくとも経時情報Ｄｎ-1を記憶している。
たとえば累積番号情報Ｎｎ−１を含むガス供給量情報Ｓの通信が欠落していた場合は、累積番号情報Ｎｎを含むガス供給量情報Ｓを受信した時点で、記憶部３２は、少なくとも経時情報Ｄｎ-２を記憶している。
【００３９】
本体側制御部３０は、端末側制御部２０からのガス供給量情報Ｓに基づいて、ガス供給対象Ａのガス消費状態を管理する演算を行う機能部である。
【００４０】
具体的には、本体側制御部３０は、ガス量計測部１において単位ガス量の供給が生じた場合に、累積番号情報Ｎと、供給時刻情報Ｔとを含む、ガス供給量情報Ｓを受信することができる。
したがって本体側制御部３０は、累積番号情報Ｎに含まれる出力されたパルス信号Ｐの累積回数を単位ガス量に乗ずることで、単位ガス量の供給が生じた時刻における、単位ガス量を最小単位としたガス消費状態として、累積のガス消費量を正確に把握することができる。
また、本体側制御部３０は、端末側管理部２と、本体側管理部３と通信が欠落しなければ、受信したガス供給量情報Ｓと、記憶部３２に記憶されている経時情報Ｄとを対比して、ガス消費量のみならず、ガス消費状態として、ガス消費速度、時系列変化や、ガス消費予測を演算して求め、管理することができる。
【００４１】
本体側制御部３０と、記憶部３２の動作を補足する。
本体側制御部３０は、端末側管理部２よりガス供給量情報Ｓが通信により送信されてきた場合に、ガス供給量情報Ｓを経時情報Ｄとして記憶部３２に記憶する。
つまり、本体側制御部３０は、累積番号情報Ｎｎを含むガス供給量情報Ｓを受信した場合に、その供給量情報Ｓを経時情報Ｄｎとして記憶部３２に記憶する。
【００４２】
本体側制御部３０と、記憶部３２と、ガス供給量情報Ｓと、経時情報Ｄの関係について補足する。
本体側制御部３０は、累積番号情報Ｎを含むガス供給量情報Ｓを受信した場合に、経時情報Ｄｎとしてガス供給量情報Ｓに含まれる累積番号情報Ｎｎと、直前に記憶した経時情報Ｄに含まれる累積番号情報とを対比して、前記ガス消費状態を算出することができる。
【００４３】
たとえば、直前に記憶した経時情報ＤがＤｎ−１である場合には、ｔｎ−１からｔｎの経過時間の間に、単位ガス量を使用したというガス消費速度を求めることができる。
また、たとえば、直前に記憶した経時情報ＤがＤｎ−３である場合には、ｔｎ−３からｔｎの経過時間の間に、単位ガス量を使用したというガス消費速度を求めることができる。
【００４４】
また、本体側制御部３０は、直前に記憶した経時情報Ｄが例えばＤｎ−３である場合には、累積番号情報がＮｎとＮｎ−３とで不連続であるから、端末側管理部２と、本体側管理部３との通信が欠落したと判断することができる。本例では、今回の通信と、直前の通信との間で２回通信が欠落したことになる。
この場合は、通信で欠落したガス供給量情報Ｓを補完する補完処理を行い、ガス消費状態を算出することができる。この補完処理を行う場合、本体側制御部３０は、供給時刻情報Ｔｎと供給時刻情報Ｔｎ−３とを対比する。たとえば、時刻ｔｎ−３から時刻ｔｎまでの経過時間を求め、その経過時間の間に、平均的にガスが消費されたものとして補完することができる。
【００４５】
また、本体側制御部３０はガス消費状態を記憶部３２に経時的に記憶して、当該記憶したガス消費状態を基にして、ガス消費予測を行うこともできる。なお、本例では、ガス消費状態はガス消費予測に含まれる。
【００４６】
たとえば累積番号情報ＮｎおよびＮｎ−１と、供給時刻情報Ｔｎおよび供給時刻情報Ｔｎ−１からガス消費速度を求めて、そのガス消費速度がこの後も継続すると仮定して、ガス消費予測を行うことができる。
【００４７】
また本体側制御部３０は、累積番号情報Ｎｎ、Ｎｎ−１およびＮｎ−２と、供給時刻情報Ｔｎ、Ｔｎ−１およびＴｎ−２から複数時点に渡る平均的なガス消費速度を求めて、その平均的なガス消費速度がこの後も継続すると仮定して、ガス消費予測を行うことができる。
【００４８】
また本体側制御部３０は、現在時点から所定の時間ｘだけさかのぼる時刻ｔｘを求め、その時刻の直前の累積番号情報Ｎと、その時刻の直後から現在時点までの累積番号情報Ｎを順次記憶部３２から読み出して求め、時間ｘの間の平均的なガス消費速度を求めて、その平均的なガス消費速度がこの後も継続すると仮定して、ガス消費予測を行うことができる。
【００４９】
本実施形態においては、本体側管理部３は、あらかじめ設定された時間管理周期になるごとに、現在時刻を示す時刻情報Ｘを外部から取得し、さらに端末側管理部２に送信するように構成される。より詳しくは、本体側管理部３の本体側制御部３０は、公知の通信手段（図示せず）を利用して外部ネットワークなどを介して、標準時情報提供手段４から、現在時刻を示す時刻情報Ｘとして、例えば、標準時で表された現在時刻を取得する。
【００５０】
公知の通信手段としては例えば、例えばイーサーネットなどのＬＡＮや、Ｗ−ＣＤＭＡやＬＴＥ通信規格の携帯電話通信網などの通信方式に対応した通信機器を用いることができる。
標準時情報提供手段４としては、具体的には例えば、ＧＰＳ、ＮＴＰサーバやＳＮＴＰサーバなどのタイムサーバを用いること等ができる。
【００５１】
端末側制御部２０は、本体側管理部３から送信された時刻情報Ｘを受信し、時刻情報Ｘに基づいて時刻を管理する。具体的には、端末側制御部２０は、計時部２３によってカウントされる現在時刻が、本体側管理部３から受信した時刻情報Ｘである標準時で表された現在時刻と一致するように、計時部２３を調整する。このような構成により、端末側管理部２と本体側管理部３との間で、現在時刻の設定が異なることを抑えることができる。
【００５２】
上述のようにガス消費管理システム１００は、端末側管理部２と本体側管理部３との間で、累積番号情報Ｎを通信（送信）することにより、電池式の端末側管理部２の電力消費を抑えながらも、ガス消費量、ガス消費速度、時系列変化や、ガス消費予測などのガス消費状態を正確に把握できる仕組みとなっている。
【００５３】
以下では、ガス消費管理システム１００において、端末側制御部２０が、ガス供給量情報Ｓとして、ガス量計測部１においてパルス信号Ｐが出力された累積回数を示す累積番号情報Ｎを生成し、累積番号情報Ｎを含むガス供給量情報Ｓを、端末側管理部２から本体側管理部３に通信（送信）し、本体側制御部３０が、端末側制御部２０が生成したガス供給量情報Ｓに基づいて、ガス供給対象Ａのガス消費状態を演算する場合の実施例を説明する。
【００５４】
〔比較例〕
実施例の説明のために、まず、計数部２４を備えないガス消費管理システム１００の場合を説明する。具体的には、端末側制御部２０が、ガス供給量情報Ｓとして、ガス量計測部１においてパルス信号Ｐが出力された累積回数を示す累積番号情報Ｎを生成せず、ガス供給量情報Ｓとして累積番号情報Ｎを含まない通信を行う場合を比較例として図２を用い説明する。
【００５５】
図２は、ガス消費管理システム１００における、端末側管理部２と、本体側管理部３とのガス供給量情報Ｓの取り扱い・演算を示している。
【００５６】
図２の記載について説明する。
図２中、「端末側」との記載は端末側管理部２を示す。また、図２中、本体側との記載は、本体側管理部３を示す。
図２の横軸は、経過時間を意味する。図２の縦軸は、ガス供給対象Ａのガス消費量もしくはガス供給量の積算値である。
【００５７】
図２中、「ガス消費量」は、本体側管理部３の本体側制御部３０が通信で受信したガス供給量情報Ｓを基にして演算して求めたガス供給対象Ａのガス消費量の変化を示すグラフである。
図２中、「ガス供給量」は、ガス供給対象Ａに対して供給されたガス供給量である。本例では、ガス供給対象Ａに対して単位ガス量を供給するごとに、ガス量計測部１がリアルタイムに発したパルス信号Ｐの積算値に単位ガス量を乗じた値である。本例では単位ガス量は１立方メートルである。つまり、ガス供給対象Ａに供給された実際のガス供給量変化におよそ等しく、累積番号情報Ｎが含む、パルス信号Ｐが出力された累積回数に等しい。
【００５８】
図２中、Ｍｎ（ｎは累積番号情報Ｎが含む、パルス信号Ｐが出力された累積回数に等しい）は、経過時間（時刻）ｔｎ（ｎは累積番号情報Ｎが含む、パルス信号Ｐが出力された累積回数に等しい）の時のガス供給量の積算値を示す。
図２中、Ｐｎ（ｎは累積番号情報Ｎが含む、パルス信号Ｐが出力された累積回数に等しい）はｎ回目のパルス信号Ｐを表す。
したがって、図２中、「ガス供給量」は、Ｍｎの全てを通過する。言い換えると、Ｍｎを順次プロットしてそれぞれのプロットをたどるラインが「ガス供給量」である。
【００５９】
以下、パルス信号Ｐとして一回目の信号（Ｐ１）が出力されてからの動作を説明していく。以下の記載において、ガス消費管理システム１００の説明で既に述べた動作については記載の便宜のため省略する。
【００６０】
ガス量計測部１においてパルス信号Ｐ１が出力されると、端末側制御部２０が、ガス供給量情報Ｓとして、パルス信号が発せられたとの情報を含むガス供給量情報Ｓを、端末側管理部２から本体側管理部３に通信して送信し、本体側制御部３０が、端末側制御部２０が生成したガス供給量情報Ｓに基づいて、ガス供給対象Ａのガス消費状態を演算して出力する。
【００６１】
具体的には、パルス信号一回に対応する、単位ガス量が使用されたと演算する。この演算結果はＭ１に等しくなる。演算結果は、ガス消費状態に係る情報として、供給時刻情報Ｔとともに、記憶部３２に記憶される。つまり、時刻ｔ１のガス消費量はＭ１であると演算して、記憶部３２に記憶される。
同様にパルス信号Ｐ２が出力された場合、本体側制御部３０は、時刻ｔ２のガス消費量としてＭ２を出力する。
【００６２】
しかし、通信が欠落する場合には以下のように動作する。
パルス信号Ｐ３が出力された場合に、端末側制御部２０が、ガス供給量情報Ｓとして、パルス信号が発せられたとの情報を含むガス供給量情報Ｓを、端末側管理部２から本体側管理部３に通信して送信したが、何かしらの理由で通信が欠落する。
すると、本体側制御部３０はガス供給量情報Ｓを通信で受信しないから、何も出力しない。
同様にパルス信号Ｐ４が出力された場合、通信が欠落すると、本体側制御部３０は、何も出力しない。
【００６３】
その後、パルス信号Ｐ５が出力された場合、通信が欠落せず、ガス供給量情報Ｓが端末側管理部２から本体側管理部３に通信して送信されると、本体側制御部３０にとっては３回目の通信であるから、本体側制御部３０は、Ｍ３を出力する。
同様にパルス信号Ｐ６が出力された場合、本体側制御部３０は、Ｍ４を出力する。
したがって、通信が欠落すると、本体側制御部３０が演算する「ガス消費量」は「ガス供給量」からかい離する。また、かい離から回復することは無い。
【００６４】
本体側制御部３０が、記憶部３２に経時的に記憶したガス消費状態に係る情報を読み出して、ガス消費予測を行う場合を説明する。
一例として、本体側制御部３０は、現在時点ｔｙから所定の時間ｘだけさかのぼる時刻ｔｘを求め、その時刻の直前のガス消費量と、その時刻の直後から現在時点までのガス消費量を順次記憶部３２から読み出して求め、時間ｘの間の平均的なガス消費速度を求めて、その平均的なガス消費速度がこの後も継続すると仮定して、ガス消費予測を行う場合を説明する。
【００６５】
図２に、現在時点ｔｙから所定の時間ｘだけさかのぼる時刻ｔｘが、時刻ｔ４とｔ５の間である場合を示す。その時刻の直前のガス消費量はＭ２である。その時刻の直後から現在時点までのガス消費量は、Ｍ３，Ｍ４である。従って、時刻ｔｘのガス消費量Ｍｘ（Ｍｘ１）はＭ２に等しく、時点ｔｙのガス消費量Ｍｙ（Ｍｙ１）はＭ４に等しいことが特定される。
【００６６】
次に、時間ｘの間の平均的なガス消費速度を求めるための（時刻，積算値）＝（ｔｘ，Ｍｘ）と、（時刻，積算値）＝（ｔｙ，Ｍｙ）を通過する直線であるグラフＬを求める。
図２の場合は、グラフＬ１（Ｌ）は、（時刻，積算値）＝（ｔｘ，Ｍ２）と、（時刻，積算値）＝（ｔｙ，Ｍ４）を通過する直線として求められる。
【００６７】
したがって、時間ｘの間の平均的なガス消費速度が時刻ｔｙの後も継続すると仮定する場合、ガス供給対象Ａが今後消費すると予測されるガス消費量（ガス消費予測）は、時刻ｔｘから時点ｔｙまでの平均的なガス消費状態を示すグラフＬ１を、時刻ｔｙ以降に線形的に延長した直線上にある、と求めることができる。
【００６８】
しかし、この例では、グラフＬ１を求める基となるデータが欠落しており、ガス消費予測として正しくないことは明らかである。仮に、真のガス消費量（すなわちガス供給量）が所定の値Ｚに到達すると予測する時刻ｔＥを求めたい場合にも、グラフＬ１が所定の値Ｚと交わる時刻ｔＥ１は、ガス消費予測として正しくないことは明らかである。
したがって、ガス供給対象Ａのガス消費量が所定の値Ｚに達する時刻を予想してアラートを出したい場合などには問題となる。
【００６９】
〔実施例１〕
実施例として計数部２４を備えるガス消費管理システム１００の場合を説明する。具体的には、端末側制御部２０が、ガス供給量情報Ｓとして、ガス量計測部１においてパルス信号Ｐが出力された累積回数を示す累積番号情報Ｎを生成し、ガス供給量情報Ｓとして累積番号情報Ｎを含む通信を行う場合を実施例として図３を用い説明する。
【００７０】
図３は、ガス消費管理システム１００における、端末側管理部２と、本体側管理部３との動作を示している。
図３の記載は、図２の場合とおよそ同様であるため、共通部分は説明を省略する。
【００７１】
以下、パルス信号Ｐとして一回目の信号（Ｐ１）が出力されてからの動作を説明していく。以下の記載において、ガス消費管理システム１００の説明で既に述べた動作については記載の便宜のため省略する。
【００７２】
ガス量計測部１においてパルス信号Ｐ１が出力されると、端末側制御部２０が、ガス供給量情報Ｓとして、パルス信号Ｐｎが出力された累積回数を示す累積番号情報Ｎｎを含むガス供給量情報Ｓを、端末側管理部２から本体側管理部３に通信して送信し、本体側制御部３０が、端末側制御部２０が生成したガス供給量情報Ｓに基づいて、ガス供給対象Ａのガス消費状態を演算して出力する。
本体側制御部３０は、累積番号情報Ｎを含むガス供給量情報Ｓを受信した場合に、ガス供給量情報Ｓに含まれる累積番号情報Ｎから累積回数を読み出して、ガス消費量を算出する。
【００７３】
具体的には、ガス供給量情報Ｓは、供給時刻情報Ｔも含むため、時刻ｔｎのガス消費量はＭｎであると演算する。つまり、時刻ｔ１のガス消費量はＭ１であると演算する。
演算結果は、累積番号情報Ｎｎに含まれる累積回数で識別されて、給時刻情報ｔ（ｔｎ）と供に、経時情報Ｄｎ（ｎは１以上の整数）として順次記憶部３２に記憶される。つまり、累積番号情報Ｎ１に含まれる累積回数で識別されて、給時刻情報ｔ１と供に、経時情報Ｄ１として順次記憶部３２に記憶される。
同様にパルス信号Ｐ２が出力された場合、端末側制御部２０は、時刻ｔ２のガス消費量としてＭ２を出力する。
【００７４】
しかし、通信が欠落する場合には以下のように動作する。
パルス信号Ｐ３が出力された場合に、ガス供給量情報Ｓを、端末側管理部２から本体側管理部３に通信して送信したが、何かしらの理由で通信が欠落する。
すると、本体側制御部３０はガス供給量情報Ｓを通信で受信しないから、何も出力しない。
同様にパルス信号Ｐ４が出力された場合、通信が欠落すると、端末側制御部２０は、何も出力しない。
【００７５】
しかしその後、パルス信号Ｐ５が出力された場合、通信が欠落せず、パルス信号Ｐ５が出力された累積回数を示す累積番号情報Ｎ５を含むガス供給量情報Ｓが、端末側管理部２から本体側管理部３に通信して送信されると、本体側制御部３０は、Ｍ５を出力する。
したがって、通信が欠落すると、本体側制御部３０が演算する「ガス消費量」は「ガス供給量」から一旦かい離する。しかし、その後通信が欠落せず、適切に行われると、かい離から回復する。
【００７６】
つまり、パルス信号Ｐ３、Ｐ４が出力された場合に通信が欠落した後、パルス信号Ｐ５が出力された場合に通信が再び適切に行われて累積番号情報Ｎ５を含むガス供給量情報Ｓを本体側管理部３が受信すると、本体側制御部３０は、累積番号情報Ｎ５と、直前に記憶した経時情報Ｄである経時情報Ｄ２に含まれるＮ２とを対比する。この対比を行う場合、累積番号情報Ｎ２と累積番号情報Ｎ５は不連続である。従って、本体側制御部３０は、累積番号情報Ｎ５とＮ２とに含まれる累積回数の差に相当する、２回の通信が、累積番号情報Ｎ２を取得した通信と累積番号情報Ｎ５を取得した通信との間で欠落したと判断する。そして、通信で欠落した２回分のガス供給量情報Ｓを補完する補完処理を行う。つまり、２回分のパルス信号に相当するガス消費量を補完する。
【００７７】
さらに具体的に言うと、本体側制御部３０は、累積番号情報Ｎ５を基にして、欠落したパルス信号であるパルス信号Ｐ３、Ｐ４の出力に相当する累積番号情報Ｎ３、Ｎ４を、補完番号情報Ｎ´３、Ｎ´４として補完する。本例の場合は、パルス信号Ｐ５と同時に欠落したパルス信号であるパルス信号Ｐ３、Ｐ４が出力されたものと擬制して、補完番号情報Ｎ´３、Ｎ´４として補完する。つまり、パルス信号Ｐ３、Ｐ４の出力に相当する累積番号情報Ｎ３、Ｎ４を、補完番号情報Ｎ´３、Ｎ´４として補完する場合に、供給時刻情報Ｔは用いない。
【００７８】
このように、その通信が欠落した後に通信が適切に行われると、欠落した通信に含まれるかい離から回復する。つまり、通信が欠落すると「ガス消費量」は「ガス供給量」から一旦かい離するが、その通信が欠落した後に通信が適切に行われると、適切に通信が行われた時点での「ガス消費量」は正確なものとなる。
同様にパルス信号Ｐ６が出力された場合、本体側制御部３０は、Ｍ６を出力する。
【００７９】
本体側制御部３０が、記憶部３２に経時的に記憶したガス消費状態に係る情報を読み出して、ガス消費予測を行う場合を図２の場合と同様に図３で説明していく。
【００８０】
図３に、現在時点ｔｙから所定の時間ｘだけさかのぼる時刻ｔｘが、時刻ｔ４とｔ５の間である場合を示す。その時刻の直前のガス消費量はＭ２である。その時刻の直後から現在時点までのガス消費量は、Ｍ５，Ｍ６である。従って、時刻ｔｘのガス消費量Ｍｘ（Ｍｘ２）はＭ２に等しく、時点ｔｙのガス消費量Ｍｙ（Ｍｙ２）はＭ６に等しいことが特定される。
【００８１】
次に、時間ｘの間の平均的なガス消費速度を求めるための（時刻，積算値）＝（ｔｘ，Ｍｘ）と、（時刻，積算値）＝（ｔｙ，Ｍｙ）を通過する直線であるグラフＬを求める。
図３の場合は、グラフＬ２（Ｌ）は、（時刻，積算値）＝（ｔｘ，Ｍ２）と、（時刻，積算値）＝（ｔｙ，Ｍ６）を通過する直線として求められる。
【００８２】
したがって、時間ｘの間の平均的なガス消費速度が時刻ｔｙの後も継続すると仮定する場合、ガス供給対象Ａが今後消費すると予測されるガス消費量（ガス消費予測）は、時刻ｔｘから時点ｔｙまでの平均的なガス消費状態を示すグラフＬ２を、時刻ｔｙ以降に線形的に延長した直線上にある、と求めることができる。
【００８３】
この例では、欠落したガス供給量情報Ｓをガス消費量について補完してからグラフＬ２を求め、さらにガス消費予測を求めているため、グラフＬ１を基にしてガス消費予測を求める場合に比べてより正確なガス消費予測が行えることは明らかである。
仮に、真のガス消費量（すなわちガス供給量）が所定の値Ｚに到達すると予測する時刻ｔＥを求めたい場合にも、グラフＬ２が所定の値Ｚと交わる時刻ｔＥ２は、グラフＬ１が所定の値Ｚと交わる時刻ｔＥ１をガス消費予測として用いる場合よりもより正確であることは明らかである。
したがって、ガス供給対象Ａのガス消費量が所定の値Ｚに達する時刻を予想してアラートを出したい場合などに好適である。
【００８４】
〔実施例２〕
実施例２は、実施例１に対して、通信が欠落した場合における動作が異なる例を説明する。具体的には補完処理の方法が異なる。
【００８５】
実施例１同様に、パルス信号Ｐ３、Ｐ４が出力された場合の通信が欠落した後、パルス信号Ｐ５が出力された場合、通信が欠落せず、パルス信号Ｐ５が出力された累積回数を示す累積番号情報Ｎ５を含むガス供給量情報Ｓが、端末側管理部２から本体側管理部３に通信して送信されると、本体側制御部３０は、Ｍ５を出力する。そして本体側制御部３０は、欠落したパルス信号であるパルス信号Ｐ３、Ｐ４の出力に相当する累積番号情報Ｎ３、Ｎ４を、それぞれ時刻ｔ´３、ｔ´４に出力されたものと擬制し、補完番号情報Ｎ´３、Ｎ´４として補完する補完処理を行う。そして本体側制御部３０は、補完番号情報Ｎ´３、Ｎ´４が出力されたと擬制された時刻ｔ´３、ｔ´４に、Ｍ３、Ｍ４が出力されたものと擬制する。
【００８６】
上記動作を以下詳述する。
パルス信号Ｐ３、Ｐ４が出力された場合に通信が欠落した後、パルス信号Ｐ５が出力された場合に通信が再び適切に行われて累積番号情報Ｎ５を含むガス供給量情報Ｓを本体側管理部３が受信すると、本体側制御部３０は、累積番号情報Ｎ５と、直前に記憶した経時情報Ｄである経時情報Ｄ２に含まれる累積番号情報Ｎ２とを対比する。この対比を行う場合、累積番号情報Ｎ２とＮ５は不連続である。従って、本体側制御部３０は、累積番号情報Ｎ５とＮ２の差に相当する、２回の通信が、累積番号情報Ｎ２を取得した通信と累積番号情報Ｎ５を取得した通信との間で欠落したと判断する。
そして、本体側制御部３０は、通信で欠落した２回分のガス供給量情報Ｓを補完する補完処理を行う。つまり、２回分のパルス信号に相当するガス消費量を補完することを決定する。
具体的には、欠落したパルス信号であるパルス信号Ｐ３、Ｐ４の出力に相当する累積番号情報Ｎ３、Ｎ４を、補完番号情報Ｎ´３、Ｎ´４として補完することを決定する。
【００８７】
本体側制御部３０は、ガス供給量情報Ｓを補完するために、さらに、ガス供給量情報Ｓに含まれる供給時刻情報Ｔ５と、直前に記憶した経時情報Ｄである経時情報Ｄ２に含まれる供給時刻情報Ｔ２とを対比する。本例では、供給時刻情報Ｔ５と、供給時刻情報Ｔ２とを対比して、時刻ｔ２から時刻ｔ５までの時間を求める。
そして、時刻ｔ２から時刻ｔ５までの間に、パルス信号Ｐ３、Ｐ４の出力が行われたものと擬制する。つまり、補完番号情報Ｎ´３、Ｎ´４は、それぞれ、時刻ｔ２から時刻ｔ５の間に存在する、時刻ｔ´３、ｔ´４に出力されたものと擬制する。
【００８８】
そして、本体側制御部３０は、累積番号情報Ｎ５を基にして、欠落したパルス信号であるパルス信号Ｐ３、Ｐ４の出力に相当する累積番号情報Ｎ３、Ｎ４を、それぞれ時刻ｔ´３、ｔ´４に出力されたものと擬制し、補完番号情報Ｎ´３、Ｎ´４として補完する。
【００８９】
このとき本体側制御部３０は、たとえば時刻ｔ´３、ｔ´４は、時刻ｔ２と時刻ｔ５の間に等間隔に存在するものと擬制して、時刻ｔ´３、ｔ´４を演算により求める。つまり、時刻ｔ２と時刻ｔ´３との間の時間は、時刻ｔ´３と時刻ｔ´４との間の時間と等しいものと擬制する。また、時刻ｔ´３と時刻ｔ´４との間の時間は、時刻ｔ´４と時刻ｔ５との間の時間と等しいものと擬制する。
つまり、時刻ｔ２から時刻ｔ５までの経過時間を求め、その経過時間の間に、平均的にガスが消費されたものと擬制して補完する。
【００９０】
したがって、通信が欠落しても、本体側制御部３０が演算する「ガス消費量」は「ガス供給量」から大きくかい離しない。
【００９１】
本体側制御部３０が、記憶部３２に経時的に記憶したガス消費状態に係る情報を読み出して、ガス消費予測を行う場合を図３の場合と同様に図４で説明していく。
【００９２】
図４に、現在時点ｔｙから所定の時間ｘだけさかのぼる時刻ｔｘが、時刻ｔ４とｔ５の間である場合を示す。本例では、時刻ｔｘは、さらに時刻ｔ４とｔ´４との間にある。
時刻ｔｘの直前のガス消費量はＭ３であると補完されている。時刻ｔｘの直後から現在時点までのガス消費量は、Ｍ４、Ｍ５，Ｍ６である。なお、Ｍ４は補完されたものである。従って、時刻ｔｘのガス消費量Ｍｘ（Ｍｘ３）はＭ３に等しく、時点ｔｙのガス消費量Ｍｙ（Ｍｙ３）はＭ６に等しいことが特定される。
【００９３】
次に、時間ｘの間の平均的なガス消費速度を求めるための（時刻，積算値）＝（ｔｘ，Ｍｘ）と、（時刻，積算値）＝（ｔｙ，Ｍｙ）を通過する直線であるグラフＬを求める。
図４の場合は、グラフＬ３（Ｌ）は、（時刻，積算値）＝（ｔｘ，Ｍ３）と、（時刻，積算値）＝（ｔｙ，Ｍ６）を通過する直線として求められる。
【００９４】
したがって、時間ｘの間の平均的なガス消費速度が時刻ｔｙの後も継続すると仮定する場合、ガス供給対象Ａが今後消費すると予測されるガス消費量（ガス消費予測）は、時刻ｔｘから時点ｔｙまでの平均的なガス消費状態を示すグラフＬ３を、時刻ｔｙ以降に線形的に延長した直線上にある、と求めることができる。
【００９５】
この例では、ガス供給量情報Ｓをガス消費量と時刻について補完してからグラフＬ２を求め、さらにガス消費予測を求めているため、グラフＬ２を基にしてガス消費予測を求める場合に比べてより正確なガス消費予測が行えることは明らかである。
仮に、真のガス消費量（すなわちガス供給量）が所定の値Ｚに到達すると予測する時刻ｔＥを求めたい場合にも、グラフＬ３が所定の値Ｚと交わる時刻ｔＥ３は、グラフＬ３が所定の値Ｚと交わる時刻ｔＥ２をガス消費予測として用いる場合よりもより正確であることは明らかである。
したがって、ガス供給対象Ａのガス消費量が所定の値Ｚに達する時刻を予想してアラートを出したい場合などには特に好適となる。
【００９６】
以上のような構成により、電池式の監視装置の電力消費を抑えつつ、パルス信号の発生の監視に失敗した場合にも、ガス供給対象Ａのガス消費状態を正確に把握できるガス消費管理システム１００を実現することができる。
【００９７】
〔別実施形態〕
（１）上述の実施形態では、ガス供給量情報Ｓは、パルス信号Ｐを出力した供給時刻情報Ｔを含む場合を説明したが、ガス供給量情報Ｓは必ずしも供給時刻情報Ｔを含まなくてもよい。
例えば、本体側制御部３０が、ガス供給量情報Ｓを受信した場合に、その受信した時刻をパルス信号Ｐが出力された時刻ｔであると擬制して、供給時刻情報Ｔとして用いてもよい。
【００９８】
本例においては、ガス供給対象Ａに対して単位ガス量を供給するごとにパルス信号Ｐが出力され、端末側制御部２０は、パルス信号Ｐの出力を受け取ると同時にガス供給量情報Ｓを本体側管理部３へ送信するため、本体側制御部３０が、ガス供給量情報Ｓを受信した時刻を供給時刻情報Ｔとして用いることもできる。
【００９９】
このように構成すると、端末側管理部２に計時部２３を要しないため、端末側管理部２を簡易にし、電池２２を電源として作動する端末側管理部２の動作時間を延長することができる。
【０１００】
（２）上述の実施形態では、ガス消費予測を行う場合に、本体側制御部３０は、現在時点から所定の時間ｘだけさかのぼる時刻ｔｘを求める例を示したが、所定の時間ｘや時刻ｔｘは、複数設定することができる。
【０１０１】
たとえば、所定の時間ｘを、３分、６分、１２分として３点定め、それぞれ過去３分間、６分間、１２分間の平均的なガス消費速度がこの後も継続すると仮定して、ガス消費予測を行うことができる。
【０１０２】
（３）上述の実施形態では、補完処理を行う場合に、本体側制御部３０は、ガス供給量情報Ｓに含まれる供給時刻情報Ｔと、直前に記憶した経時情報Ｄに含まれる供給時刻情報Ｔとを対比する例を示したが、本体側制御部３０は、直前よりさらに過去に記憶した経時情報Ｄに含まれる供給時刻情報Ｔを複数参照し、それらの規則性を求め、その規則性を用いて補完することもできる。
【０１０３】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【０１０４】
本発明は、ガス供給対象のガス消費状態を管理するガス消費管理システムとして有用に用いることができる。
【符号の説明】
【０１０５】
１        ：ガス量計測部
２        ：端末側管理部
３        ：本体側管理部
２０      ：端末側制御部
２１      ：端末側無線式通信部
２２      ：電池
３０      ：本体側制御部
３１      ：本体側無線式通信部
３２      ：記憶部
１００    ：ガス消費管理システム
Ａ        ：ガス供給対象
Ｄ        ：経時情報
Ｄｎ      ：経時情報
Ｎ        ：累積番号情報
Ｎｎ      ：累積番号情報
Ｐ        ：パルス信号
Ｐｎ      ：パルス信号
Ｓ        ：ガス供給量情報
Ｔ        ：供給時刻情報
Ｔｎ      ：供給時刻情報
Ｘ        ：時刻情報
ｔ        ：給時刻情報
【図１】
0006664254.tif 000002
【図２】
0006664254.tif 000003
【図３】
0006664254.tif 000004
【図４】
0006664254.tif 000005